Podtech/llm-jp-corpus-v4-ja_patent huggingface dataset:
(57)【要約】      （修正有）【課題】従来の腹筋運動器具を分解式にして、カバン等に入れて持ち運ぶことや押し入れの収納を容易にするための運動器具を提供する。【解決手段】腹筋運動器具の土台を利用者の体重が加わる部分だけ残し、腰当て２、踵当３とし、それぞれ土台となる棒１で接続し腹筋運動時の反動を抑えるための足首固定４を土台となる棒に接続して運動器具本体を構成する。【選択図】図１
0003114500.tif 000002
【実用新案登録請求の範囲】
【請求項１】
本考案は図３から図６の様な腹筋・背筋・ストレッチ運動等を目的とし、使用時には図１の様な構成の運動器具が、図２の様に分解することにより、携帯性・収納性に優れた運動器具。
【考案の詳細な説明】
【考案が解決しようとする課題】
【０００１】従来、腹筋運動器具で折り畳み式はあっても、重量や大きさに限界があり、カバン等に入れて容易に持ち運ぶことや押し入れの収納までは困難であった。
本考案は、この課題を解消するためになされたものである。
【課題を解決するための手段】
【０００２】腹筋運動器具の土台を利用者の体重が加わる部分だけ残し、これを図１に示す腰当（２）、踵当（３）とし、それぞれ土台となる棒（１）で接続し腹筋運動時の反動を抑えるための足首固定（４）を土台となる棒（１）に接続して運動器具本体を構成して、これを図２の様に分解可能にした。
更に土台となる棒（１）を短くするため、伸縮式または折り畳み式・分解式等にすることで、運動器具の全ての部品をカバン等に入れられる様にし、従来の運動器具よりも収納を容易にすることが出来るようにした。
又、土台となる棒（１）の両端に滑止ゴム（５）を取り付けることにより、運動時に起こる床面に水平な反動を抑える様にした。
【考案の効果】
【０００３】腹筋運動器具の土台を利用者の体重が加わる部分だけ残し、図１の様な形にして、図２の様に分解可能にし、更に、土台となる棒（１）を、伸縮式または折り畳み式・分解式等にすることで、各部品の大きさを最小限にし、カバン等に入れられる様にした。
【図面の簡単な説明】
【０００４】
【図１】本考案の立面図である。
【図２】本考案の分解図である。
【図３】腹筋運動時の本考案使用図である。
【図４】足上げ運動時の本考案使用図である。
【図５】背筋運動時の本考案使用図である。
【図６】ストレッチ運動時の本考案使用図である。
【符号の説明】
【０００５】１  土台となる棒
２  腰当
３  踵当
４  足首固定
５  滑止ゴム
【図１】
0003114500.tif 000003
【図２】
0003114500.tif 000004
【図３】
0003114500.tif 000005
【図４】
0003114500.tif 000006
【図５】
0003114500.tif 000007
【図６】
0003114500.tif 000008
【手続補正書】
【提出日】平成17年6月23日(2005.6.23)
【手続補正１】
【補正対象書類名】実用新案登録請求の範囲
【補正対象項目名】全文
【補正方法】変更
【補正の内容】
【実用新案登録請求の範囲】
【請求項１】
仰向けに寝て下肢を固定した状態で上半身を起こす腹筋運動時に、腰部及び踵が床面に接触する部位に緩衝材等で覆った板をそれぞれ設け、腰部と踵の距離に充分な長さの土台となる棒を板の左右に各々設け、更に、足背面に緩衝材等で覆った棒を設けた構成の運動器具が、腰部の板、踵の板、土台となる棒、足背面に接触する棒にそれぞれ分離し、更に、土台となる棒が短くなる様、伸縮又は分離することにより、携帯性及び収納性に優れた運動器具。
(57)【要約】【課題】従来はトートバックの中身の大きさが変わるたびにバックの大きさも変えなければならず不便を要したが、本考案は効率的に使用できるトートバックを提供する。【解決手段】トートバックの下部と側面下部にドットボタン（１）がついており、ティッシュボックスを入れる時にはボタンをしめて、ティッシュ（２）が容易に取り出せるようにしてあるトートバックを設けてなる。【選択図】図２
0003114498.tif 000002
【実用新案登録請求の範囲】
【請求項１】
トートバックの底部と側面下部にドットボタンがついており、バックの大きさを変化させることができるトートバック。
【請求項２】
バックの側面にティッシュを取り出すことのできる切れ目があり、ティッシュを１枚ずつ取り出せるトートバック。
【請求項３】
３５０ｍｌ×６缶の飲料缶用トートバックをティッシュボックス１箱がちょうど入るよう、大きさを変化させることができるトートバック。
【考案の詳細な説明】
【技術分野】
【０００１】本考案は飲料類だけでなくティッシュボックスなども、入れてなおかつ使用できるトートバックに関するものである。
【背景技術】
【０００２】従来のトートバックは、飲料類やその他のものをただ入れるだけのものであったのが現状である。
【考案の開示】
【考案が解決しようとする課題】
【０００３】飲料類とティッシュボックスを入れるとするとトートバックの大きさを変えなければならない。【０００４】本考案は、上記した従来技術における実状に鑑みてなされたもので、効率的なトートバックを提供することを目的とする。
【課題を解決するための手段】
【０００５】課題を解決する手段として、トートバックの底部と側面下部にドットボタン（１）がついており、これを付けることにより、トートバックの大きさを変えることができる。また、バック側面中央部に切れ目（２）を入れることでティッシュ（３）を１枚ずつ取り出されるように設けてなる。
【考案の効果】
【０００６】１つのトートバックで飲料類だけでなくティッシュボックスも入れることにより、バックを多数持つ必要がなくなり、考案の効果は大きなものとなる。
【考案を実施するための最良の形態】
【０００７】まず、本考案のトートバック、底部と側面下部のドットボタン（１）をはずし３５０ｍｌ×６缶の飲料缶を入れるトートバックとする。【０００８】中身を出したのち、底部と側面下部のドットボタンを付けてティッシュボックスがちょうど入る大きさにする。
【図面の簡単な説明】
【０００９】
【図１】使用前の斜め下方からの斜視図
【図２】下部を折りたたみ中にティッシュボックスを入れた状態の斜め下方からの斜視図
【符号の説明】
【００１０】１  ドットボタン
２  ティッシュを取り出す切れ目
３  ティッシュ
【図１】
0003114498.tif 000003
【図２】
0003114498.tif 000004
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
飲料缶などのものを入れるためのトートバックであって、バックの底部と側面下部にドットボタンがついており、バックの大きさを変化させることができることを特徴とするトートバック。
【請求項２】
前記バックの側面にティッシュを１枚ずつ取り出すことができる切れ目が設けてあることを特徴とする請求項１記載のトートバック。
(57)【要約】【課題】津波警報が出たとき、人や車を最寄の高台に速やかに避難させる。【解決手段】道路６、７の中央に沿って、自動車が避難すべき方向を示す方向標示１０ａを一定間隔を置いて表示する。同じく、道路の側部に沿って歩行者が避難すべき方向を示す方向標示１１ａを間隔を存して表示する。【選択図】図１
0003114496.tif 000002
【実用新案登録請求の範囲】
【請求項１】
歩行者を避難場所に誘導するための方向標示を道路の側部路面に沿って表示し、自動車を避難場所に誘導するための方向標示を道路の中央路面に沿って表示したことを特徴とする道路の避難誘導標示。
【考案の詳細な説明】
【技術分野】
【０００１】
本考案は、津波警報等が発令されたとき、人や車を避難場所に誘導するための道路標示に関する。
【背景技術】
【０００２】
津波災害を防止するために、警報が出たら一刻も早く、海岸近くにいる人々を高台に避難させることが大切である。その土地の住民であればどこに高台があるか分かっているので、観光客などその土地に不案内な人に重点を置いた避難誘導策を講じる必要がある。
【０００３】
従来、海岸に臨んでいる自治体の中には、道路に避難誘導標識を立てて、これで高台に人を誘導するようにしている。しかし、道路に沿って立てられた看板形の標識は、離れた道路上にいる人は見にくいいので、多くの本数を立てる必要がある。看板形標識を道路に直角方向に立てれば見やすくなるが、１枚１枚の標識を立てるのに広いスペースを必要とする。このように、効果のある標識を立てるには、何れも費用が嵩む。
【０００４】
津波警報が出た場合、マイカーに乗って高台を目指す人も出てくる。歩行者は最も近い高台に最短の道を通って避難することができるが、車が通れるような道路がある広い高台となると数が限られる。したがって、歩行者とドライバーに、別々の避難路を指示しなければならない場合がある。この場合、従来の看板式の標識では指示が複雑になって、混乱を招き兼ねない。
【考案の開示】
【考案が解決しようとする課題】
【０００５】
この考案は、少ない費用で効果のある避難誘導標示を提供することを課題とする。
【課題を解決するための手段】
【０００６】
この考案に係る避難誘導標示は、津波警報が出たときに歩行者を高台に誘導するための方向標示を道路の側部路面に沿って表示し、同じく、自動車を高台に誘導するための方向標示を道路の中央路面に沿って表示したことを特徴とする。
【０００７】
このように、方向標示を直に路面に表示したので、道路上の歩行者や車のドライバーからよく見え、また、従来のように看板を立てる場合に比べて低コストで済む。
【０００８】
また、歩行者用と車用に分け、歩行者用方向標示は道路の側部路面に、車用は中央路面に表示するようにしたので、人と車に別々の指示を出すことができる、きめ細かい避難誘導が可能になるという効果がある。歩行者用方向標示を表示するのは、路側帯部分や歩道などがよい。
【考案を実施するための最良の形態】
【０００９】
図１は避難誘導標示を備えた道路の概念図であり、符号１は高台であって、それほど広くはないが、海岸２に沿った市街地３から比較的に近いところにあり、市街地から走って逃げる人に適した避難場所である。一方、市街地３から遠いが広い面積を備えた高台５があり、これは車に乗って避難する人に適している。
【００１０】
交差点以外の道路６、７では、その中央に沿って、自動車が避難すべき方向を示す方向標示１０ａを一定間隔を置いて表示する。同じく、道路の側部に沿って歩行者が避難すべき方向を示す方向標示１１ａを間隔を存して表示する。避難する人が混乱しないよう、道路中央の標示１０は自動車用、側部のもの１１は歩行者用であることを、方向表示に付記しておくとよい。
【００１１】
標示１０ａにしたがって自動車が市街地の方から交差点（Ｔ字路）１２まで来ると、左折を示す標示１０ｂに出会い、自動車は左に折れて高台５の方に向かうことができる。一方、Ｔ字路における歩行者用標識１１ｂは右折になっているので、市街地から走ってきた人は、右に曲がり、少し行くと今度は左折の標示１１ｃに出会い、左折して細い道１３を通って高台１に達することができる。
【００１２】
図２は交差点付近における方向標示の拡大図である。同図で、符号１５はセンターライン、符号１６は路側を示す線である。避難用方向標示１０、１１は、道路交通標示と見まちがえないように、先端が尖った点を並べた点線で構成されている。道路交通標示は白または黄色であるので、この避難標示はこれとは異なる色、例えば、津波を連想させる青色などを使うとよい。また、夜間によく目立つよう、蛍光塗料を使用したり、路面に発光ダイオードを埋め込んだりするのも効果がある。
【図面の簡単な説明】
【００１３】
【図１】避難誘導標示を備えた道路の概念図である。
【図２】交差点における避難誘導標示の平面図である。
【符号の説明】
【００１４】
１０  自動車用誘導標示
１１  歩行者用誘導標示
【図１】
0003114496.tif 000003
【図２】
0003114496.tif 000004
【手続補正書】
【提出日】平成17年5月30日(2005.5.30)
【手続補正１】
【補正対象書類名】実用新案登録請求の範囲
【補正対象項目名】全文
【補正方法】変更
【補正の内容】
【実用新案登録請求の範囲】
【請求項１】
津波警報発令時等の非常時に、歩行者と自動車をそれぞれの避難場所（１、５）に誘導するための矢印状の方向標示であって、いずれも道路面に表示され、歩行者用の方向標示（１１ａ、１１ｂ、１１ｃ）は道路側部に沿って、自動車用の方向標示（１０ａ、１０ｂ）は道路中央に沿ってそれぞれ表示されていることを特徴とする道路の避難誘導標示。
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
塗料を塗りつけて道路面上に形成した薄い塗膜からなり、津波警報発令時等の非常時に、歩行者と自動車をそれぞれの避難場所（１、５）に誘導するための矢印状の方向標示であって、歩行者用の方向標示（１１ａ、１１ｂ、１１ｃ）は道路側部に沿って、自動車用の方向標示（１０ａ、１０ｂ）は道路中央に沿ってそれぞれ表示されている避難誘導標示を備えた道路。
【請求項２】
該塗膜に代えて、路面に埋め込んだ発光ダイオードで該避難誘導標示を構成した請求項１に記載の道路。
【手続補正３】
【補正対象書類名】明細書
【補正対象項目名】０００６
【補正方法】変更
【補正の内容】
【０００６】
この考案に係る道路は、津波警報発令時等の非常時に、歩行者と自動車をそれぞれの避難場所に誘導するための矢印状の方向標示であって、歩行者用のものは道路側部に沿って、自動車用のものは道路中央に沿ってそれぞれ表示されている避難誘導標示を備えたものである。避難誘導標示は、塗料を塗りつけて道路面上に形成した薄い塗膜で構成してもよいし、路面に埋め込んだ発光ダイオードで構成することもできる。
(57)【要約】      （修正有）【課題】シャンプー・石鹸をまず、たくさん泡立て成分を薄めてから、その泡で洗髪でき、また頭皮の血行をよくするために指先で頭皮のマッサージができる洗髪用手袋を提供する。【解決手段】シャンプー・石鹸を２の部分につけ、まずきめの細かい泡を立て、成分を薄めてから、その泡で３の指先部分の開口部からでる指の腹側で頭皮をマッサージしながら洗髪する。【選択図】図１
0003114497.tif 000002
【実用新案登録請求の範囲】
【請求項１】
指先部分に頭皮のマサージのため、指の第２関節部分に指が出る開口部を設けたことを特徴としている。
【請求項２】
シャンプー・石鹸をよく泡立てるため、開口部以外の手のひらにスポンジが本体のネット状手袋と一体となって設けられている。
【考案の詳細な説明】
【技術分野】
【０００１】  この考案は、洗髪時に使用する手袋の構造、形状に関する。
【特許文献１】
【背景技術】
【０００２】  従来品に洗髪の際、シャンプーや石鹸を泡立てながら洗髪することが出来る物がなかった。
【考案の開示】
【考案が解決しようとする課題】
【０００３】  洗髪の際、シャンプーを使っていたが、あまり泡立てず、原液を髪に直接付け使っていたため、多くのシャンプーの中に使われている鉱物油（石油系）により髪が弱く細く薄くなってしまった、また頭皮に必要な油分まで取り去ってしまい、頭皮の地肌が荒れ、ふけが多くなってしまった。  本当は石鹸（植物系原料）により洗髪するのがよい、しかしそれも直接地肌に石鹸をつけず、きめ細かい泡をたててその泡で洗わなければ同じ事になってしまう（頭皮の汚れはきめの細かい泡で洗わないと汚れがとれないため、毛穴が詰まってしまう）。
そこでこの考案は、シャンプー・石鹸をまず、たくさん泡立て成分を薄めてから、その泡で洗髪でき、また頭皮の血行をよくするために指先で頭皮のマッサージができる洗髪用手袋を提供することを課題とする。
【課題を解決するための手段】
【０００４】  以上の課題を解決するために第一考案は、頭皮のマッサージのために指先部分が手袋から出る（マッサージは頭皮の血行を良くするためだがナイロンやプラスッチックなどで頭皮を押したり、擦ったりするのは、かえって頭皮を痛めてしまう）開口部が設けられている事を特徴とする。  また第二考案は、シャンプー・石鹸の成分を薄めながらきめ細かい泡を立てるため、開口部以外の手のひらにはスポンジがネット状の手袋と一体についていることを特徴とする（頭皮の汚れはきめの細かい泡により、やさしくマッサージするように洗わないと毛穴に汚れが残ってしまい髪が細くなり、更に次の髪が生えにくくなってしまう）また指先部分を指にはめることにより首や耳の後ろなどが同時に洗える。
【考案の効果】
【０００５】  第一考案、第二考案によれば、洗髪の際シャンプー・石鹸をたくさん泡立て、入っている成分を薄めて、髪・頭皮を守りながら毛穴をスッキリと洗髪することができる、また指先部分を指にはめることにより首や耳の後ろも同時に洗える。
【考案を実施するための最良の形態】
【０００６】  この考案の一実施形態を図１に示す、指先で頭皮をマッサージするため指の第２関節部分に開口部３を設ける。手袋の本体１はネット状であり、この本体１には開口部以外の手のひら部分に泡立ちをよくするため、スポンジ２が一体となって設けられている。【０００７】「実施形態の効果」
この実施形態によれば、洗髪の際にシャンプー・石鹸の原液を手袋の２の部分につけ、よく泡立ててから、３の開口部から出た指の腹側でマッサージしながら洗髪できるため、原液により髪や地肌を傷めることが少なくなり頭皮の汚れもスッキリ洗えるため、髪と頭皮を守ることができる、また指先部分をはめて首や耳の後ろなど洗える。【０００８】「他の実施形態」
図１の実施形態では、スポンジ部分は３の開口部以外の手のひら部分だが、範囲を縮小また拡大した物でも良い。また２のスポンジは綿等の泡立ちがよい他の素材でもよい。
【産業上の利用可能性】
【０００＊】
【図面の簡単な説明】
【０００９】
【図１】この考案の一実施形態を示す図である。
【符号の説明】
【００１０】１  洗髪手袋本体（ネット状）          ２  スポンジ部分
３  手袋から指が出る開口部
４  使用後つるして干しておくためのひも
【図１】
0003114497.tif 000003
【手続補正書】
【提出日】平成17年6月2日(2005.6.2)
【手続補正１】
【補正対象書類名】実用新案登録請求の範囲
【補正対象項目名】全文
【補正方法】変更
【補正の内容】
【実用新案登録請求の範囲】
【請求項１】
ネット（網目）状構造になっている手袋で、手のひら側の各指の第二関節に当たる部分に、指を手袋から外側に出すための開口部を設けたことを特徴とする洗髪用手袋。
【請求項２】
請求項１に記載の洗髪用手袋は、各指の開口部を除いて手のひら側のネットの上に、薄いスポンジが一体となって取り付けられていることを特徴とする洗髪用手袋。
(57)【要約】【課題】シップを肩や背中など本人の手の届かない（又は届きにくい）患部に貼り付ける際，他人に手伝ってもらわなくても本人１人で患部に適切にシップを貼り付けることができるようにする。【解決手段】本器具のローラーにシップを取り付け患部に当て、ローラーを回転させることにより、本人一人で患部にシップを貼り付けることを可能にした。【選択図】図３
0003114493.tif 000002
【実用新案登録請求の範囲】
【請求項１】
本器具のローラーに市販の肩こり，腰痛，筋肉痛等の消炎シップ（以下、シップと略す。）を取り付け肩，背中，腰などの患部に一部透明シートを剥がしたシップ本体を適切に当てた後、ローラーストッパーをはずしてローラーを回転させることにより、透明シートをはがしながら本人一人で患部にシップを貼り付けることを可能にする器具
【考案の詳細な説明】
【技術分野】
【０００１】本考案は、本人が手の届かない（又は届きにくい）患部に適切にシップを貼り付けることを可能にする器具に関するものである。
【考案の開示】
【考案が解決しようとする課題】
【０００２】シップを肩や背中などの本人が手の届かない（又は届きにくい）患部に貼り付ける際，他人に手伝ってもらわないと貼れないという難点があった。本考案は、この課題を解消するためになされたものである。
【課題を解決するための手段】
【０００３】シップの透明シートをシップ本体から透明シート固定具に挟むために必要な分だけ剥がし、透明シート固定具に透明シートを挟み固定する。シップを図２のようにローラー上にセットしてスティックを持って、ローラーに固定したシップを患部に当てる。スティックを手で引っ張りローラーを回転させることによりシップ本体を患部に適切に貼り付ける。
【考案の効果】
【０００４】他人に手伝ってもらわなくても本人１人で、本人の手の届がない（又は届きにくい）患部に適切にシップを貼り付けることができる。また、ローラーを回転させることにより、透明シートをはがしながらシップを患部に貼り付けるので、手をほとんど汚すことなくシップを貼り付けることができる。
【実施例１】
【０００５】図３で本器具の使用方法について説明する。
シップ▲６▼の透明シート▲４▼をシップ本体▲５▼から透明シート固定具▲１▼に挟むために必要な分だけ剥がし、透明シート固定具▲１▼に透明シート▲４▼を挟み固定する。シップ▲６▼を図２のようにローラー▲２▼上にセットして、ローラーストッパー▲７▼を押えて、ローラー▲２▼が回転しないように固定する。スティック▲３▼を持って、ローラー▲２▼にセットしたシップ本体▲５▼の粘着面を患部に適切に当てた後、ローラーストッパー▲７▼をはずして、ローラー▲２▼が回転できるようにする。スティック▲３▼を手で引っ張りローラー▲２▼を回転させ、ローラー▲２▼がシップ本体▲５▼上を転がることによりシップ本体▲５▼を患部に適切に貼り付けることができる。
【図面の簡単な説明】
【０００６】
【図１】本器具を示す。（シップをセットする前）
【図２】本器具の側面図
【図３】本器具にシップを装着した状態
【符号の説明】
【００１０】▲１▼透明シート固定具
▲２▼ローラー
▲３▼スティック
▲４▼透明シート
▲５▼シップ本体
▲６▼シップ
▲７▼ローラーストッパー
【図１】
0003114493.tif 000003
【図２】
0003114493.tif 000004
【図３】
0003114493.tif 000005
【手続補正書】
【提出日】平成17年4月7日(2005.4.7)
【手続補正１】
【補正対象書類名】実用新案登録請求の範囲
【補正対象項目名】全文
【補正方法】変更
【補正の内容】
【実用新案登録請求の範囲】
【請求項１】
本器具のローラーに肩こり，腰痛，筋肉痛等の消炎シップ（以下、シップと略す。）を取り付け肩，背中，腰などの患部に一部透明シートを剥がしたシップ本体を適切に当てた後、ローラーストッパーをはずしてローラーを回転させることにより、透明シートをはがしながら本人一人で患部にシップを貼り付けることを可能にする器具
【手続補正書】
【提出日】平成17年6月28日(2005.6.28)
【手続補正１】
【補正対象書類名】実用新案登録請求の範囲
【補正対象項目名】全文
【補正方法】変更
【補正の内容】
【実用新案登録請求の範囲】
【請求項１】
本器具は、スティック▲３▼の片側先端屈曲部の水平方向にローラー本体▲２▼を取り付け、スティック▲３▼の他方先端に、一時的にローラー本体の回転を抑制するためのローラーストッパー▲７▼を取り付け、スティック上には、透明シートを固定するための透明シート固定具▲１▼（透明シートの両面から挟むことによって透明シートを固定する構造を有する。）から成る構造をしている。
(57)【要約】      （修正有）【課題】狭いスペースでも力があるモーターの有り方を、二連結以上モーターコイル１及びモーターコイル２を複数に、増やす事で、力のあるモーターを提供する。【解決手段】通常モーターとは違って複数コイルに連結し続ける事で力とスピードの有るモーター二連結以上モーターコイル１，９二連結以上モーターコイル１０これら、コイルを、複数化して、二連結以上モーター電磁石プラス配線１，１１二連結以上モータープラス配線２，１２二連結以上モーター電磁石マイナス配線１，１３二連結以上モーター電磁石マイナス配線２，１４これら配線を、モーターコイルが、増えると同時に増やす事で、電気供給量が、増える事で、モーターの力の増幅とスピードモーターが出来る。【選択図】図１
0003114491.tif 000002
【実用新案登録請求の範囲】
【請求項１】
二連結以上モーターとは、通常モーターを、一つのモーター軸上に複数連結して、モーター配線を、そのモーターの数に、伴ってモーター配線が、増えてゆき通常モーターとは、電気量が、必要とする力のあるモーターを、二連結以上モーターの説明とする。
【考案の詳細な説明】
【考案の詳細な説明】
【技術分野】
【０００１】本考案は、通常モーターの力  スピードを、越えるため、一本のモーター軸にモーター連結する事で、力  スピードを、越えるモーターとして考案した二連結以上モーターを、考案の属する技術分野とする。
【背景技術】
【０００２】通常モーターは、配線が、プラス  マイナスの二本のため、決まっただけの電気量の力だけしかモーター能力としかできないため、すぐ焼ける結果になる。
【考案が解決しようとする課題】
【０００３】通常モーターでは、力とスピードを、上げるためモーターの個数を、増やしてそれだけのモーターを、取り付ける複数モーター設置場所を、用意しなければならなかった。
【課題を解決するための手段】
【０００４】本考案は、狭いスペースで力とスピードのあるモーターを、実現するため一本のモーター軸に複数モーターを、連結する事で力とスピードのあるモーターとして考案された著作権及び実用新案である。
【考案を実施するための最良の形態】
【０００５】図の１に示すように二つ以上のモーターコイル連結（２２）は、二連結以上モーターコイル１（９）二連結以上モーターコイル２（１０）これら、複数コイルから二連結以上モーター電磁石プラス配線１（１１）二連結以上モーター電磁石マイナス配線（１２）二連結以上モーター電磁石マイナス配線（１３）二連結以上モーター電磁石マイナス配線（１４）二連結以上モーター電磁石マイナス配線（１５）二連結以上モーター軸コイルセッティングプラス配線（１７）二連結以上モーター軸コイルセッティングマイナス配線（１８）二連結以上モーター軸コイル絶縁体（１９）これら複数連結する事によるモーター複数配線と複数モーターコイルに、した、実用新案の考案著作権の図１である。【０００６】図の２のモーター上面図に示すように、二連結以上モーター金属配線軸（２）二連結以上モーター軸コイル絶縁体（１９）二連結以上モーター軸コイルセッティングプラス配線（１７）二連結以上モーター軸コイルセッティングマイナス配線（１８）これら配線は、モーターコイルの電気供給配線であり二連結以上モーターカバー止めナット（１５）二連結以上モーターカバー止めボルト（１６）これらモーターの上面図から、見た二連結以上モーターのコイル軸配線図  二連結以上モーターカバー止め説明図である。【０００７】上記工程により完成した本考案の二連結以上モーターは、二連結以上モーターコイル１（９）二連結以上モーターコイル２（１０）これら、複数コイルにする事によって通常モーターては、力とスピードが、なし得ない力とスピードを、得る事が出来る。
【考案の効果】
【０００８】本考案に係わる二連結以上モーターは、一つのモーターの力及びスピードより二つ以上のモーターの力とスピードが、増加し続ける電気エネルギーが、モーターの能力を、上げ続ける事の可能に近い複数連結モーターこそ、二連結以上モーターの説明になりこれからの、電気モーター未来社会に、欠かせない二連結以上モーターである。
【図面の簡単な説明】
【図１】  本考案に係わる二連結以上モーターの内部構造を、説明した横断面図である。
【図２】  本考案に係わる二連結以上モーターの構成する上面図である。
【符合の説明】
１    二連結以上モーター軸歯車ギアー
２    二連結以上モーター金属配線軸
３    二連結以上モーターカバー止めボルト穴  １
４    二連結以上モーターカバー止めボルト穴  ２
５    二連結以上モーターカバー止めボルト穴  ３
６    二連結以上モーターカバー止めボルト穴  ４
７    二連結以上モーター電磁石  １
８    二連結以上モーター電磁石  ２
９    二連結以上モーター電磁石  ３
１０    二連結以上モーター電磁石  ４
１１    二連結以上モーター電磁石プラス配線  １
１２    二連結以上モーター電磁石プラス配線  ２
１３    二連結以上モーター電磁石マイナス配線１
１４    二連結以上モーター電磁石マイナス配線２
１５    二連結以上モーターカバー止めナット
１６    二連結以上モーターカバー止めボルト
１７    二連結以上モーター軸コイルセッティングプラス配線
１８    二連結以上モーター軸コイルセッティングマイナス配線
１９    二連結以上モーター軸コイル絶縁体
２０    二連結以上モーター電磁石カバー１
２１    二連結以上モーター電磁石カバー２
２２    二連結以上モーター      （別名複数連結モーター）
２３    二連結以上モーター電磁石絶縁体
【図１】
0003114491.tif 000003
【図２】
0003114491.tif 000004
【手続補正書】
【提出日】平成17年3月28日(2005.3.28)
【手続補正１】
【補正対象書類名】実用新案登録請求の範囲
【補正対象項目名】全文
【補正方法】変更
【補正の内容】
【実用新案登録請求の範囲】
【請求項１】
二連結以上モーターとは、通常モーターを一つのモーター軸上に複数連結してモーター配線を、そのモーターコイルの数に伴ってモーター配線が、増えてゆく連結モーター装置。
(57)【要約】      （修正有）【課題】新聞表裏紙面で全ての紙面ごとの記載記事主内容項目が目視でき、必要紙面を直ちに選択できる。【解決手段】新聞記事記載欄外の上下左右いずれか一方の紙面余白部分を、紙面ページ数に応じて分割された長さで順繰りに切り欠き、それぞれが他の紙面に重ならない様な余白突出部を作成する。そして、その余白突出部に当該紙面に記された記事主要内容の項目を印字し突出見出しとすること。【選択図】図１
0003114484.tif 000002
【実用新案登録請求の範囲】
【請求項１】
新聞の記事記載欄外上下左右いずれか一方の紙面余白部分を、紙面ページ数に応じて分割された長さで順繰りに切り欠き、それぞれが他の紙面に重ならない様な余白突出部を作成する。
【請求項２】
その余白突出部に当該紙面に記された記事主要内容の項目を印字し見出しとすること。
【考案の詳細な説明】
【技術分野】
【０００１】本考案は、新聞紙面の表裏紙或いは開いた時を問わず、いかなる状態においても各紙面の記載記事主内容項目を目視でき、順に繰ることなく読みたい紙面を即座に選択し開くことのできる突出見出しを施すことに関するものである。
【背景技術】
【０００２】現在は新聞紙面の各内容については一般には表紙面に索引として項目とページ数がまとめて記されている。また各紙面には上部欄外に内容項目も記されている。【０００３】しかし、読みたい紙面を即座に開くには不便であり、何度か紙面を繰って探すことが多い。【０００４】これは、新聞の紙面数が多くなればなるほど必要面を探す作業が負担となる。【０００５】この改善策として本考案は表裏紙面あるいは紙面を開いた時でも他の各紙面の記載記事主内容項目が瞬時に目視でき、必要紙面を的確に選択し、即座に開くことのできる突出見出しを各紙面に施すものとする。
【考案の開示】
【考案が解決しようとする課題】
【０００６】解決しようとする問題点は、すぐ読みたい紙面でも何度か繰らなければ開けない不便さである。
【課題を解決するための手段】
【０００７】本考案は紙面ごとに記載記事主内容の項目を示す突出見出しを施すことである。
【考案の効果】
【０００８】本考案の突出見出しを施すことにより新聞のどの紙面を開いていても各紙面の記載記事主内容の項目を目視できると共に、次に必要な紙面を直ちに選択し即座に開くことができる。
【考案を実施するための最良の形態】
【０００９】新聞記事記載欄外の上下左右いずれか一方の紙面余白部分を、紙面ページ数に応じて分割された長さで順繰りに切り欠き、それぞれが他の紙面に重ならない様な余白突出部を作成する。そしてその余白突出部に当該紙面に記された記事主要内容の項目を印字し突出見出しとすること。
【実施例】
【００１０】図１は新聞の発行ページ数に応じ紙面上下の長さを均等割りにした突出見出しを施したものである。見出しにはその紙面の主な記載記事内容を集約した項目を記す。
図５はあるページを開いた時の新聞紙面の状態及び突出見出しの実施例である。
【産業上の利用可能性】
【００１１】今日、国内外を問わずいずれの新聞においても概ね表紙面に索引欄はあるが突出見出しを施したものは皆無である。新聞の生産工程においては見出しの印字や切り欠く方法等は技術的には工夫はあっても本考案の共通の利用は可能である。また、切り欠いた紙の再資源化は産業上費用減少に通ずる。
【図面の簡単な説明】
【００１２】
【図１】は新聞の突出見出し付き表紙面の正面図である
【図２】は新聞の突出見出し付き裏紙面の正面図である
【図３】は突出見出し付き表紙面の各紙面を左下へずらした時の紙面概略図である
【図４】は突出見出し付き裏紙面の各紙面を右下へずらした時の紙面外略図である
【図５】は紙面を両開きに開いた時の突出見出しの実施例正面図である
【符号の説明】
【００１３】１  突出見出し
２  記事欄
３  下部記事欄外
４  上部記事欄外
５  左記事欄外
６  右記事欄外
【図１】
0003114484.tif 000003
【図２】
0003114484.tif 000004
【図３】
0003114484.tif 000005
【図４】
0003114484.tif 000006
【図５】
0003114484.tif 000007
【手続補正書】
【提出日】平成16年9月28日(2004.9.28)
【手続補正１】
【補正対象書類名】実用新案登録請求の範囲
【補正対象項目名】全文
【補正方法】変更
【補正の内容】
【実用新案登録請求の範囲】
【請求項１】
新聞の記事記載欄外上下左右いずれか一方の紙面余白部分を、紙面のページ数に応じて分割した長さで順繰りに切り欠き、それぞれが他の紙面に重ならないように施された紙面余白突出部分である。
【請求項２】
その紙面余白突出部分に当該紙面に記載された記事主要内容の項目を印字した見出しである。
【手続補正書】
【提出日】平成17年2月7日(2005.2.7)
【手続補正１】
【補正対象書類名】実用新案登録請求の範囲
【補正対象項目名】全文
【補正方法】変更
【補正の内容】
【実用新案登録請求の範囲】
【請求項１】
新聞の記事記載欄外の上下左右いずれか一方の余白部分を、紙面ページ数に応じて分割された長さで順繰りに切り欠き、残った余白それぞれが他の紙面の残った余白に重ならない様にした余白突出部を設けたものであること。
【請求項２】
請求項１において作成された各紙面の余白突出部に当該紙面に記された主要記事内容の項目を印字し見出しとしたもの。
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
新聞の記事記載欄外の上下左右いずれか一方の余白部分を、紙面ページ数に応じて分割された長さで順繰りに切り欠き、残った余白それぞれが他の紙面の残った余白に重ならない様にした余白突出部を設けた新聞紙面突出見出しである。
【請求項２】
請求項１において作成された各紙面の余白突出部に当該紙面に記された主要記事内容の項目を印字し見出しとした新聞紙面突出見出しである。
(57)【要約】      （修正有）【課題】穴を開け開口部を新設し、建物床下への通風を強化し、建物床下の湿気防止、腐朽菌発生防止、カビ臭等の防止、更に建物の耐久性も期待される水切り建築金物を提供する。【解決手段】水切り建築金物４に穴６を開け開口部を新設して通気口５とし、その開口部の通気口５から外気を床下に取り込み外気通風の流れ７を作る。【選択図】図４
0003114485.tif 000002
【実用新案登録請求の範囲】
【請求項１】
従来の水切り建築金物に穴を開け開口部を新設して建物床下への通風を可能にした。
【考案の詳細な説明】
【技術分野】
【０００１】本考案は通風を可能にした水切り建築金物である。
［背景技術］【０００２】従来の在来工法住宅の基礎には通気口が設置されており、雨水を住宅床下に侵入させない為の役割で良かった水切り建築金物であるが、近年は耐震性を重視した基礎パッキン工法住宅となり通風を確保する位置に従来の水切り建築金物が設置され床下への通風を妨げている。
［考案の開示］
［考案が解決しようとする課題］【０００３】現在の基礎パッキン工法住宅に於いては、床下への通風を確保する位置に水切り建築金物が設置され床下への通風を妨げる結果となっている。
［課題を解決するための手段］【０００４】本考案は従来の水切り建築金物に一定間隔で穴を開け開口部を新設することにより外部からの通風を開口部を経由して通風を容易にする。
［考案の効果］【０００５】本考案は雨水を防止する効果に加えて床下への通風性を容易にした。因って、建物床下への通風を強化し、建物床下の湿気防止、腐朽菌発生防止、カビ臭等の防止、更に建物の耐久性も期待される。
［考案を実施するための最良の形態］【０００６】本考案商品は従来の水切り建築金物に一定間隔で穴を開け開口部を新設することにより外部からの通風を開口部を経由して通風を容易にした。近年の耐震性を重視した基礎パッキン工法住宅の欠点である床下への通気、通風を可能にした。
【図面の簡単な説明】
【０００７】  ［図１］住宅に於ける水切り金物取付位置
［図２］在来工法、従来の水切り金物設置
［図３］基礎パッキン工法、従来の水切り金物設置
［図４］基礎パッキン工法、本考案の水切り金物設置
【符号の説明】
１，住宅に於ける水切り金物取付位置
２，建物土台角材
３，基礎石
４，水切り金物
５，通気口
６，通気穴
７，外気通風の流れ
【図１】
0003114485.tif 000003
【図２】
0003114485.tif 000004
【図３】
0003114485.tif 000005
【図４】
0003114485.tif 000006
【手続補正書】
【提出日】平成16年8月31日(2004.8.31)
【手続補正１】
【補正対象書類名】明細書
【補正対象項目名】０００４
【補正方法】変更
【補正の内容】
［０００４］
本考案は従来の水切り建築金物の側面に一定間隔で穴を開け、又は通気可能な形状にして開口部を新設することにより外部からの通気通風を開口部を経由して通気通風を容易にする。
【手続補正２】
【補正対象書類名】明細書
【補正対象項目名】０００６
【補正方法】変更
【補正の内容】
［０００６］
本考案は従来の水切り建築金物の側面に一定間隔で穴を開け、又は通気可能な形状にして開口部を新設することにより外部からの通気通風を開口部を経由して通気通風を容易にした。近年の耐震性を重視した基礎パッキン工法住宅の欠点である床下への通気通風を容易にした。
【手続補正４】
【補正対象書類名】実用新案登録請求の範囲
【補正対象項目名】全文
【補正方法】変更
【補正の内容】
【実用新案登録請求の範囲】
【請求項１】
従来の水切り建築金物の側面に穴を開け、又は通気可能な形状にして開口部を新設し、建物床下への通気通風を水平に取り込む事を可能にした。
【手続補正書】
【提出日】平成16年10月26日(2004.10.26)
【手続補正１】
【補正対象書類名】明細書
【補正対象項目名】０００２
【補正方法】変更
【補正の内容】
［０００２］従来の在来工法住宅の基礎には通気口が設置されており、雨水を住宅床下に侵入させない為の役割で良かった水切り建築金物であるが、近年は耐震性を重視した基礎パッキン工法住宅となり通風を確保する位置に水切り建築金物が設置され床下への通風を妨げている。【手続補正２】
【補正対象書類名】明細書
【補正対象項目名】０００４
【補正方法】変更
【補正の内容】
［０００４］本考案は水切り建築金物の側面に一定間隔で穴を開け、又は通気可能な形状にして開口部を新設することにより外部からの通気通風を開口部を経由して通気通風を容易にする水切り建築金物である。【手続補正３】
【補正対象書類名】明細書
【補正対象項目名】０００６
【補正方法】変更
【補正の内容】
［０００６］本考案は水切り建築金物の側面に一定間隔で穴を開け、又は通気可能な形状にして開口部を新設することにより外部からの通気通風を開口部を経由して通気通風を容易にした。近年の耐震性を重視した基礎パッキン工法住宅の欠点である床下への通気通風を容易にした水切り建築金物である。【手続補正３】
【補正対象書類名】実用新案登録請求の範囲
【補正対象項目名】全文
【補正方法】変更
【補正の内容】
［書類名］    実用新案登録請求の範囲［請求項１］水切り建築金物の側面に穴を開け、又は通気可能な形状にした開口部を新設し、建物床下への通気通風を水平に取り込む事を可能にした水切り建築金物である。【手続補正書】
【提出日】平成17年1月24日(2005.1.24)
【手続補正２】
【補正対象書類名】実用新案登録請求の範囲
【補正対象項目名】全文
【補正方法】変更
【補正の内容】
［書類名］    実用新案登録請求の範囲
［請求項１］
水切り建築金物の側面に穴を開け、又は通気可能な形状にした開口部を新設し、建物床下への通気通風を水平に取り込む事を可能にした水切り建築金物である。
(57)【要約】      （修正有）【課題】携帯電話用の携帯式充電器に付加的に髭剃りの機能を設けることで使用価値を高めること。【解決手段】充電することができる外部接続端子を有する携帯電話の外部接続端子に接続できるコネクタと、コネクタに電気的に接続され、コネクタに電力を供給する電池と、前記電池により駆動する電動式の髭剃りとを一体に形成し、携帯充電器兼用髭剃りを構することで、外出先に携帯した際に、髭剃りとして使え、携帯電話の電池が切れた場合には充電器として使用することができるようにする。【選択図】図３
0003114459.tif 000002
【実用新案登録請求の範囲】
【請求項１】
充電することができる外部接続端子を有する携帯電話の当該外部接続端子に接続できるコネクタと、
前記コネクタに電気的に接続され、前記コネクタに電力を供給する電池と、
前記電池により駆動する電動式の髭剃りと
を一体に形成した携帯充電器兼用髭剃り。
【請求項２】
前記髭剃りは、前記コネクタを前記携帯電話の外部接続端子に接続した状態において、前記携帯電話で通話しながら、前記髭剃りで髭を剃ることができる位置に前記髭剃りの刃が位置する請求項１に記載の携帯充電器兼用髭剃り。
【考案の詳細な説明】
【技術分野】
【０００１】
本考案は、髭剃り機能を設けた携帯電話用の携帯式充電器に関する。
【背景技術】
【０００２】
近年の携帯電話の普及とともに、外出先での携帯電話の電池切れに対処すべく、種々の携帯式の充電器が広く使われている。携帯式の充電器は、携帯電話の外部接続端子に接続できるコネクタと電池とにより構成されるものであり、携帯電話の電池切れに備えて携帯される。
【考案の開示】
【考案が解決しようとする課題】
【０００３】
ところで、かかる携帯電話のための携帯用の充電器は、携帯電話の電池が切れた場合にのみ使用しそれ以外は使えないので、荷物になるだけの場合も多い。一方、男性にとって髭剃りは、旅行時や髭を剃らずに出かけた場合などに、携帯しておくと便利である。
本考案は、かかる事情に鑑みて、携帯電話用の携帯式充電器に付加的に髭剃りの機能を設けることで使用価値を高めることを課題とする。
【課題を解決するための手段】
【０００４】
上記課題を解決するために、本考案は次のような構成を有する。
請求項１に記載の考案は、充電することができる外部接続端子を有する携帯電話の当該外部接続端子に接続できるコネクタと、前記コネクタに電気的に接続され、前記コネクタに電力を供給する電池と、前記電池により駆動する電動式の髭剃りとを一体に形成した携帯充電器兼用髭剃りである。
請求項２に記載の考案は、前記携帯充電器兼用髭剃りにおいて、前記髭剃りは、前記コネクタを前記携帯電話の外部接続端子に接続した状態において、前記携帯電話で通話しながら、前記髭剃りで髭を剃ることができる位置に前記髭剃りの刃が位置するものである。
【考案の効果】
【０００５】
請求項１に記載の考案は、携帯電話の携帯式充電器を構成するとともに、電気髭剃りにもなるので、外出先に携帯した際に、髭剃りとして使え、携帯電話の電池が切れた場合には充電器として使用することができる。
請求項２に記載の考案は、携帯電話により通話と髭剃りが同時にできるので、急いでいる等の理由で、通話と髭剃りを同時に行うことが望ましい状況においても、髭を剃りながら携帯電話で会話をすることができる。
【考案を実施するための最良の形態】
【０００６】
以下、本考案の実施形態について、図を参照しながら説明する。
図１に本実施形態に係る携帯充電器兼用髭剃りＸの斜視図を示し、図２に携帯充電器兼用髭剃りＸの内部構造を模式的に示す。携帯充電器兼用髭剃りＸは、ケーシング１０に、電池ボックス２０、コネクタ３０、髭剃り部４０が設けられている。ケーシング１０は合成樹脂性の成型品であり、扁平な直方体の一面の上方にカマボコ状の出っ張りが形成されている。電池ボックス２０は、電池２１、２１を保持し、コネクタ３０及び髭剃り部４０へ電力を供給するものである。電池ボックスの形状は既存の電池ボックスと同様であるが、前記コネクタ３０との間に図示しない携帯電話用の電圧５．５Ｖに変換する変圧回路が内蔵されている。電池２１、２１は充電可能な市販のニッケル水素電池である。コネクタ３０は、所定の携帯電話の外部電源と接続可能に形成される外部接続端子に接続できる形状を有するものであり、前記電池ボックス２０からの電力を、接続する携帯電話へ供給する。髭剃り部４０は、電磁石により振動する振動部４１、振動部４１により往復する往復刃４２ａと往復刃４２に接して髭を切断する網刃４２ｂとからなるケーシングのカマボコ状の出っ張りに設けられる刃部４２、振動部４１の駆動の入切を行うスイッチ４３とから構成される。
【０００７】
次に、このような構造を有する携帯充電器兼用髭剃りＸの使用方法について説明する。使用者は、外出先などで携帯電話の電池が切れた場合、図３に示すように、コネクタ３０をこの携帯電話の外部接続端子に接続することで、電池ボックス２０の電池２１、２１から電力が携帯電話に供給され携帯電話の電池に充電を行うことができる。また、必要に応じて、髭剃り部４０のスイッチ４３を入れることで、振動部４１を駆動させ刃部４２により髭を剃ることもできる。さらに、急いでいる場合などにおいては、図３に示す状態のまま髭剃り部４０のスイッチ４３を入れると、髭剃り部４０の刃部４２があご近傍に位置するので、携帯電話で通話を行いながら髭を剃ることもできる。
【図面の簡単な説明】
【０００８】
【図１】携帯充電器兼用髭剃りを示す斜視図である。
【図２】携帯充電器兼用髭剃りの内部構造を模式的に示す図である。
【図３】携帯充電器兼用髭剃りを携帯電話に接続した状態を示す斜視図である。
【符号の説明】
【０００９】
Ｘ  携帯充電器兼用髭剃り
１０  ケーシング
２０  電池ボックス
２１  電池
３０  コネクタ
４０  髭剃り部
４２  刃部
【図１】
0003114459.tif 000003
【図２】
0003114459.tif 000004
【図３】
0003114459.tif 000005
(57)【要約】      （修正有）【課題】従来のものより、より洗浄、清掃を楽にし、かつ場合によっては洗剤を使用することなく効果的にその目的を果たす選択用品の提供。【解決手段】織り目の細かくソフトなランジェリー用洗濯ネットに使用されているホリエステル素材生地を二重にし、用途に対し適切な大きさにカットされたスポンジを覆い縫い合わせる。また、ネット生地を適当な大きさにカットし４枚ないし６枚縫い合わせる。いわゆる、雑巾である。【選択図】図３
0003114966.tif 000002
【実用新案登録請求の範囲】
【請求項１】
ソフトな洗濯用ネット生地１でスポンジ２をくるむ、あるいはネット生地１を数枚縫い合わせるなどして作られた、食器、台所、風呂、などの器具及び、用具一般また家具家屋の洗浄、清掃用用品。
【考案の詳細な説明】
【考案が解決しようとする課７題】
【０００１】既存の商品としてすでに粗い目の洗濯ネットでスポンジを覆った洗浄用具は存在するが、ソフトなランジェリーネットを利用した洗浄、掃除用品は無く、これを利用し、食器、家具、家屋等の洗浄、清掃、陶器、木製品、塗装面、プラスチックなどの汚れ落とし、及びつやだしをする。既存のものより効率的。
【課題を解決するための手段】
【０００２】織り目の細かくソフトなランジェリー用洗濯ネットに使用されているホリエステル素材生地を二重にし、用途に対し適切な大きさにカットされたスポンジを覆い縫い合わせる
また、ネット生地を適当な大きさにカットし４枚ないし６枚縫い合わせる。いわゆる、雑巾である。
【考案の効果】
【０００３】陶器、ガラス、プラスチック、ステンレス、塗装面の汚れ、水垢を傷つけることなく従来の製品より効率よく落とすことができる。木製品の手あかなどの汚れも、少量の水で落とすことが可能であり艶出しとしても有効。
【図面の簡単な説明】
【０００４】
【図１】ポリエステルネット生地とスポンジの断面図である。
【図２】ポリエステルネット生地の断面図である。
【図３】ポリエステルネット生地の織り目
【符号の説明】
１  ネット生地
２  スポンジ
３  縫い合わせ箇所
４  ネット生地の織り目
【図１】
0003114966.tif 000003
【図３】
0003114966.tif 000004
【手続補正書】
【提出日】平成17年5月10日(2005.5.10)
【手続補正１】
【補正対象書類名】図面
【補正対象項目名】図１
【補正方法】変更
【補正の内容】
【図１】
0003114966.tif 000005
【手続補正２】
【補正対象書類名】図面
【補正対象項目名】図２
【補正方法】変更
【補正の内容】
【図２】
0003114966.tif 000006
(57)【要約】      （修正有）【課題】液体を注ぐ時、液ダレを防止する。【解決手段】器の内側に注ぎ口を付け、液ダレした物は器の内側に帰る。【選択図】図１
0003114965.tif 000002
【実用新案登録請求の範囲】
【請求項１】
器の内側についた注ぎ口
【請求項２】
そそぎ口に液体を誘導する為の壁（土手）
【考案の詳細な説明】
【考案の開示】
〔考案が解決しようとする課題〕
【０００１】液体の物を注ぐ時、注ぎ口より液ダレを、おこしテーブルを汚したり、用器を汚したりしていた。〔課題を解決する為の手段〕
【０００２】器の内部に注ぎ口を、液体を注ぎ口に誘導する為の、壁（土手）を作り液ダレ、した物は器の中に帰る。〔考案の効果〕
【０００３】テーブルを汚すことが無い、器を汚すことが無い
【図面の簡単な説明】図面は本案の斜視図である１、はそそぎ口    ２は壁部（土手）
【図１】
0003114965.tif 000003
【手続補正書】
【提出日】平成17年5月18日(2005.5.18)
【手続補正１】
【補正対象書類名】実用新案登録請求の範囲
【補正対象項目名】全文
【補正方法】変更
【補正の内容】
〔書類名〕実用新案登録請求の範囲
〔請求項１〕
・器の内側についた注ぎ口を有する器
〔請求項２〕
・請求項１記載の、器の内側についたそそぎ口に、液体を誘導する為の、壁